(57)【要約】【課題】巻き付けた電線を引っ張った際に電線を傷つける恐れがないと共に、電線を接続する際に安定して保持すること。【解決手段】電線Ｓに接続する電気コネクタ１は、絶縁性のハウジング２と、ハウジング２から露出して電線Ｓに接続する端子部３１を備えると共にハウジング２に保持される導電性を有するコンタクト３と、を有する。ハウジング２は、電線Ｓが巻き付けられると共に電線Ｓの折り返し部分Ｓ１と接する面が曲面である巻付部２１と、端子部３１の左右に併設されて電線Ｓの左右方向の移動を規制する左右規制部２２及び左右規制部２３と、を備えている。【選択図】図１
2019071189.tif 000002
【特許請求の範囲】
【請求項１】
電線に接続する電気コネクタであって、
絶縁性のハウジングと、
前記ハウジングから露出して前記電線に接続する端子部を備えると共に前記ハウジングに保持される導電性を有するコンタクトと、
を有し、
前記ハウジングは、
前記電線が巻き付けられると共に前記電線の折り返し部分と接する面が曲面である巻付部と、前記端子部の左右に併設されて前記電線の左右方向の移動を規制する左右規制部と、を備える、
ことを特徴とする電気コネクタ。
【請求項２】
前記左右規制部は、
前記巻付部と前記端子部との間に設けられる、
ことを特徴とする請求項１記載の電気コネクタ。
【請求項３】
前記ハウジングは、
前記巻付部に巻き付けられた前記電線の上方への移動を規制する上方規制部と、上方から見て前記上方規制部と重ならない位置に設けられると共に、前記巻付部に巻き付けられた前記電線の下方への移動を規制する下方規制部と、を備え、
前記下方規制部は、
前記上方規制部との間で上下方向に所定間隔を有して設けられる中央規制部と、前記中央規制部の前方及び後方に連設されると共に前記上方規制部との間で上下方向に前記所定間隔よりも大きい間隔を有して設けられる端部規制部と、を備える、
ことを特徴とする請求項１又は請求項２記載の電気コネクタ。
【請求項４】
前記巻付部は、
巻き付けられた前記電線の途中を交差させた状態で前記電線を保持することを可能にする保持部を備える、
ことを特徴とする請求項１から請求項３のいずれかに記載の電気コネクタ。
【請求項５】
前記巻付部と前記端子部とは、
前記端子部から延設される前記電線の延設方向に沿って一列に配列される、
ことを特徴とする請求項１記載の電気コネクタ。
【発明の詳細な説明】
【技術分野】
【０００１】
本発明は、エナメル線等の電線に接続する電気コネクタに関する。
【背景技術】
【０００２】
従来、電気端子に対して電線を半田付けして接続する電線の結線構造が知られている。かかる電線の結線構造は、半田内に埋設した電線と半田外に位置する電線との境界が固く脆くなるため、この部分に曲げや引張力が加わると電線が容易に切線してしまう。
【０００３】
これに対して、特許文献１は、電気端子に電線を巻き付けて接続する電線の結線構造を開示している。具体的には、特許文献１の電線の結線構造は、電気端子の鉛直状に起立された起立部に被覆線である電線を一回巻き付けて、電線の被覆部を切除した裸線端部をプレートの平面に半田付けする。これにより、曲げ力や引張力が直接半田付け部に加わることがなく、半田付けした電線に切損を生じないようにすることができる。
【先行技術文献】
【特許文献】
【０００４】
【特許文献１】実開昭５７−１７０８１号公報
【発明の概要】
【発明が解決しようとする課題】
【０００５】
しかしながら、特許文献１においては、電線が巻き付けられる起立部の角が角張っているため、電気端子に巻き付けた電線を強く引っ張った際に、起立部の角により電線を傷つけてしまい電線が切断される恐れがあるという課題を有する。また、特許文献１においては、起立部に電線を巻き付けて半田付けする際に、電線が直線状に戻ろうとするために裸線端部を半田付け位置に安定して保持することができず、作業効率の低下を招くと共に半田付け位置にバラツキを生じるという課題を有する。
【０００６】
本発明の目的は、巻き付けた電線を引っ張った際に電線を傷つける恐れがないと共に、電線を接続する際に安定して保持することができる電気コネクタを提供することである。
【課題を解決するための手段】
【０００７】
本発明に係る電気コネクタは、電線に接続する電気コネクタであって、絶縁性のハウジングと、前記ハウジングから露出して前記電線に接続する端子部を備えると共に前記ハウジングに保持される導電性を有するコンタクトと、を有し、前記ハウジングは、前記電線が巻き付けられると共に前記電線の折り返し部分と接する面が曲面である巻付部と、前記端子部の左右に併設されて前記電線の左右方向の移動を規制する左右規制部と、を備える。
【０００８】
巻付部に巻き付けた電線を端子部に接続する際に、電線の端子部における左右方向の移動を左右規制部で規制しながら電線を端子部に接続可能にし、また、端子部に接続された電線を引っ張った際に、巻付部に巻き付いている電線が巻付部の曲面に圧接する。
【発明の効果】
【０００９】
本発明によれば、巻き付けた電線を引っ張った際に電線を傷つける恐れがないと共に、電線を接続する際に安定して保持することができる。
【図面の簡単な説明】
【００１０】
【図１】本発明の第１の実施形態に係る電気コネクタの上方の斜め前方から見た斜視図である。
【図２】本発明の第１の実施形態に係る電気コネクタの下方の斜め前方から見た斜視図である。
【図３】本発明の第１の実施形態に係る電気コネクタの底面図である。
【図４】本発明の第１の実施形態に係る電気コネクタの正面図である。
【図５】本発明の第１の実施形態に係るハウジングの斜視図である。
【図６】本発明の第１の実施形態に係るハウジングの正面図である。
【図７】本発明の第１の実施形態に係るハウジングの平面図である。
【図８】本発明の第２の実施形態に係る電気コネクタの上方の斜め前方から見た斜視図である。
【図９】本発明の第２の実施形態に係る電気コネクタの平面図である。
【図１０】本発明の第２の実施形態に係る電気コネクタの底面図である。
【図１１】本発明の第２の実施形態に係る電気コネクタの側面図である。
【図１２】本発明の第３の実施形態に係る電気コネクタの平面図である。
【図１３】本発明の第３の実施形態に係る電気コネクタの背面図である。
【図１４】本発明の第３の実施形態に係る電気コネクタの正面図である。
【発明を実施するための形態】
【００１１】
以下、図面を適宜参照して、本発明の実施形態に係る電気コネクタにつき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１２】
（第１の実施形態）
＜電気コネクタの構成＞
本発明の第１の実施形態に係る電気コネクタ１の構成につき、図１から図７を参照しながら、以下に詳細に説明する。なお、図１から図４は、本実施形態に係る電気コネクタ１に電線Ｓを接続した状態を示している。
【００１３】
本実施形態に係る電気コネクタ１は、エナメル線等の電線Ｓに接続し、ハウジング２と、コンタクト３と、を有している。
【００１４】
ハウジング２は、絶縁性を有する材料により形成されており、巻付部２１と、左右規制部２２と、左右規制部２３と、上方規制部２４と、上面２５と、下方規制部２６と、下面２７と、凹部２８と、を備えている。
【００１５】
巻付部２１は、電線Ｓが巻き付けられる。巻付部２１は、電線Ｓの折り返し部分Ｓ１と接する面が曲面であると共に、それ以外の面がｙ−ｚ平面に沿って平坦な平坦面になっている。巻付部２１の左右規制部２２に対向する面は、上方規制部２４が設けられていないため、上面２５との接続部から上端までｙ−ｚ平面に沿って平坦（面一）になっている。
【００１６】
左右規制部２２は、上面２５において巻付部２１と端子部３１との間に立設されていると共に、左右方向において端子部３１に併設されており、上面２５の前端から上面２５の前端と後端との中央まで延設されている。左右規制部２２は、端子部３１の左右方向の端部に接している。左右規制部２２には、上端から巻付部２１に向かって下方に傾斜する傾斜面２２１が設けられている。左右規制部２２は、電気コネクタ１に接続される電線Ｓの数と同じ数だけ設けられ、本実施形態では２つ設けられている。
【００１７】
左右規制部２３は、上面２５に立設されていると共に左右方向において端子部３１に併設されており、端子部３１を挟んで左右規制部２２に対向している。左右規制部２３は、上面２５の前端から後端まで延設されている。左右規制部２３は、端子部３１の左右方向の端部に接している。左右規制部２３は、本実施形態のように電気コネクタ１に２本の電線Ｓを接続する際には、一対の端子部３１の間に立設されている。
【００１８】
上方規制部２４は、巻付部２１の上端において、巻付部２１から前方、左右方向の外方及び後方に突出して鍔状に形成されている。
【００１９】
上面２５は、ｙ−ｚ平面に沿って平坦な平坦面である。上面２５の左右方向の両端には、中央規制部としての下方規制部２５１が設けられている。下方規制部２５１は、図６及び図７に示すように、上方から見て上方規制部２４と重ならない位置に設けられていると共に、上方規制部２４との間で上下方向に所定の間隔Ｒ１（図６参照）を有して設けられている。
【００２０】
端部規制部としての下方規制部２６は、図６及び図７に示すように、上方から見て上方規制部２４と重ならない位置に設けられていると共に、下方規制部２５１の前方及び後方に連設されている。下方規制部２６は、図６に示すように、上方規制部２４との間で上下方向に間隔Ｒ１よりも大きい間隔Ｒ２（Ｒ２＞Ｒ１）を有して設けられている。下方規制部２６は、上方規制部２４から離れる方向である下方に傾斜していると共に、電線Ｓの外径及び電線Ｓの巻き回数に応じた角度で下方に傾斜した傾斜面であり、例えば電線Ｓを巻付部２１に二回巻き付ける場合には、間隔Ｒ２が電線Ｓの外径の２倍以上となるような角度で下方に傾斜する。なお、下方規制部２６は、傾斜面に限らず、上方規制部２４との間で上下方向に間隔Ｒ２を有して設けられる凹部等でもよい。
【００２１】
下面２７は、相手側コネクタＫの嵌合部と相補形状になっており、相手側コネクタＫの嵌合部と嵌合する（図４参照）。
【００２２】
凹部２８は、図５及び図６に示すように、上面２５に凹設されている。凹部２８には、端子部３１が配置される。
【００２３】
コンタクト３は、導電性を有する材料により形成されていると共にハウジング２に一体成型により保持されており、端子部３１と、接続部３２と、を備えている。
【００２４】
端子部３１は、ハウジング２の上面２５の左右規制部２２と左右規制部２３との間に露出しており、電線Ｓに接続する。
【００２５】
接続部３２は、ハウジング２の下面２７から下方に突出して相手側コネクタＫの導電部に接続する。
【００２６】
上記の構成を有する電気コネクタ１において、図４に示すように、相手側コネクタＫと嵌合している電気コネクタ１を、上方規制部２４に指を引っ掛けて上方に引っ張ることにより、相手側コネクタＫとの嵌合状態を解除することができる。これにより、電気コネクタ１と相手側コネクタＫとの嵌合状態を容易に解除することができる。
【００２７】
＜電気コネクタと電線との接続方法＞
本発明の第１の実施形態に係る電気コネクタ１と電線Ｓとの接続方法につき、以下に詳細に説明する。
【００２８】
まず、先端側の絶縁体を切除して導電部を露出させた状態の電線Ｓを、巻付部２１と規制部２３との間に挿入した後に、巻付部２１に対して巻付部２１の内側から外側に巻き付ける。この際に、電線Ｓの下方への移動を下方規制部２６及び下方規制部２５１により規制すると共に、電線Ｓの左右方向における巻付部２１から離れる方向への移動を左右規制部２２により規制することにより、電線Ｓを巻付部２１に容易に巻き付けることができる。また、左右規制部２２の上端に設けた傾斜面２２１により、電線Ｓの巻付部２１と左右規制部２２との間への挿入をガイドすることができ、巻付部２１と左右規制部２２との間に電線Ｓを容易に挿入することができる。また、上方規制部２４を巻付部２１の左右方向の内方に突出しないようにすることにより、巻付部２１と左右規制部２２との間に電線Ｓを容易に挿入することができる。更に、上方規制部２４と下方規制部２６との上下方向の間隔Ｒ２を、上方規制部２４と下方規制部２５１との上下方向の間隔Ｒ１より大きくすることにより、電線Ｓを巻付部２１に巻き付ける際に、電線Ｓを一旦下方に移動させてから上方規制部２４に引っ掛けることができるため、電線Ｓを上方規制部２４に容易に引っ掛けることができる。
【００２９】
次に、電線Ｓの巻付部２１に巻き付けた後方側を上方から押さえ込むように電線Ｓを巻付部２１に対して巻付部２１の外側から内側に巻き付けて、電線Ｓの先端側を左右規制部２２と左右規制部２３との間に位置させると共に端子部３１の上方に位置させる。この際に、電線Ｓの上方への移動を上方規制部２４により規制することにより、電線Ｓが巻付部２１から上方に抜けてしまうことを防ぐことができ、電線Ｓを巻付部２１に巻き付けた状態を維持することができる。
【００３０】
次に、電線Ｓの先端側を端子部３１に接続する。電線Ｓと端子部３１とは、パルスヒート等による半田付け、レーザ溶接又は抵抗（熱）溶接等により接続される。この際に、直線状に戻ろうとする電線Ｓの左右方向の移動を左右規制部２２及び左右規制部２３で規制することにより、端子部３１に対する接続位置に電線Ｓを安定して保持することができるため、作業効率を向上させることができると共に電線Ｓの端子部３１に対する接続位置のバラツキを抑制することができる。また、電線Ｓの巻付部２１に巻き付けた部分の端子部３１の方向への移動を左右規制部２２で規制することにより、電線Ｓの巻付部２１に巻き付けた部分で端子部３１に接続している電線Ｓが押圧等されることを防ぐことができ、電線Ｓと端子部３１との接続状態が不安定になることを防ぐことができる。
【００３１】
次に、電線Ｓの先端側の端子部３１から前方に突出した部分を図示しないカッターで端子部３１の前端面に沿って切断して、電線Ｓを図１に示す状態にする。
【００３２】
この状態において電線Ｓを後方に引っ張った際に、電線Ｓが巻付部２１に圧接されるが、電線Ｓの折り返し部分Ｓ１に当接する巻付部２１の面を曲面にすることにより、巻付部２１から電線Ｓに加わる荷重を分散することができるため、巻付部２１により電線Ｓを傷付けないようにすることができると共に、電線Ｓが切断されることを防ぐことができる。また、電線Ｓは巻付部２１を締め付けるように巻付部２１に巻き付くため、電線Ｓの端子部３１との接続部分に直接引張力が加わることを防ぐことができ、電線Ｓと端子部３１との接続不良を防ぐことができる。
【００３３】
ここで、電線Ｓの外径及び巻き数に応じた間隔Ｒ２になるように下方規制部２６を設けることにより、巻付部２１に対して電線Ｓを所望の回数だけ巻き付けることができる。
【００３４】
このように、本実施形態によれば、電線Ｓが巻き付けられると共に電線Ｓの折り返し部分Ｓ１と接する面が曲面である巻付部２１と、端子部３１の左右に併設された左右規制部２２及び左右規制部２３と、を備えることにより、巻付部２１に巻き付けた電線Ｓを引っ張った際に巻付部２１により電線Ｓを傷つける恐れがないと共に、電線Ｓを端子部３１に接続する際に、左右規制部２２及び左右規制部２３により電線Ｓの左右方向の移動を規制することにより、電線Ｓを安定して保持することができる。
【００３５】
なお、本実施形態において、上方規制部２４を巻付部２１の上端において前方、左右方向の外方及び後方に突出するようにしたが、上方規制部を巻付部の上端において前方及び後方に突出させると共に、左右方向の外方及び内方に突出しないように設けることができる。この場合には、ハウジング２の左右方向の幅を小さくすることができ、電気コネクタを小型化することができる。
【００３６】
（第２の実施形態）
＜電気コネクタの構成＞
本発明の第２の実施形態に係る電気コネクタ１００の構成につき、図８から図１１を参照しながら、以下に詳細に説明する。
【００３７】
なお、図８から図１１において、図１から図７と同一構成である部分については同一符号を付して、その説明を省略する。また、図８から図１１は、本実施形態に係る電気コネクタ１００に電線Ｓを接続した状態を示している。
【００３８】
電気コネクタ１００は、エナメル線等の電線Ｓに接続し、コンタクト３と、ハウジング１０２と、を有している。
【００３９】
ハウジング１０２は、絶縁性を有する材料により形成されており、巻付部２１と、左右規制部２２と、左右規制部２３と、上方規制部２４と、上面２５と、下方規制部２６と、下面２７と、凹部２８と、電線保持部１０１と、巻付部１２１と、上方規制部１２４と、上方規制部１２５と、を備えている。
【００４０】
左右規制部２２は、上面２５において巻付部１２１と端子部３１との間に立設されていると共に、左右方向において端子部３１に併設されており、上面２５の前端から上面２５の前端と後端との中央まで延設されている。左右規制部２２には、上端から巻付部１２１に向かって下方に傾斜する傾斜面２２１が設けられている。左右規制部２２は、電気コネクタ１００に接続される電線Ｓの数と同じ数だけ設けられ、本実施形態では２つ設けられている。
【００４１】
左右規制部２３は、本実施形態のように電気コネクタ１００に２本の電線Ｓを接続する際には、一対の端子部３１の間に立設されている。
【００４２】
電線保持部１０１は、巻付部１２１の前後方向の中央において下方に凹設されている。
【００４３】
巻付部１２１は、電線Ｓが巻き付けられる。巻付部１２１は、電線Ｓの折り返し部分Ｓ１と接する面が曲面であると共に、それ以外の面がｙ−ｚ平面に沿って平坦な平坦面になっている。巻付部１２１の左右規制部２２に対向する面は、上方規制部１２４及び上方規制部１２５が設けられていないため、上面２５との接続部から上端までｙ−ｚ平面に沿って平坦（面一）になっている。
【００４４】
上方規制部１２４は、巻付部１２１の前方の上端において、巻付部１２１から前方及び左右方向の外方に突出して鍔状に形成されている。
【００４５】
上方規制部１２５は、巻付部１２１の後方の上端において、巻付部１２１から後方及び左右方向の外方に突出して鍔状に形成されている。
【００４６】
上面２５には、巻付部１２１に巻き付けられた電線Ｓの下方への移動を規制する下方規制部２５１が設けられている。下方規制部２５１は、上方規制部１２４及び上方規制部１２５との間で上下方向に所定の間隔Ｒ１を有して設けられている。
【００４７】
下方規制部２６は、上方から見て上方規制部１２４及び上方規制部１２５と重ならない位置に設けられていると共に、下方規制部２５１の前方及び後方に連設されている。下方規制部２６は、上方規制部１２４又は上方規制部１２５との間で上下方向に間隔Ｒ１よりも大きい間隔Ｒ２（Ｒ２＞Ｒ１）を有して設けられている。下方規制部２６は、上方規制部１２４又は上方規制部１２５から離れる方向である下方に傾斜していると共に、電線Ｓの外径及び電線Ｓの巻き回数に応じた角度で下方に傾斜した傾斜面であり、例えば電線Ｓを巻付部１２１に二回巻き付ける場合には、間隔Ｒ２が電線Ｓの外径の２倍以上となるような角度で下方に傾斜する。
【００４８】
端子部３１は、ハウジング１０２の上面２５の左右規制部２２と左右規制部２３との間に露出しており、電線Ｓに接続する。
【００４９】
接続部３２は、ハウジング１０２の下面２７から下方に突出して相手側コネクタの導電部に接続する。
【００５０】
上記の構成を有する電気コネクタ１００において、相手側コネクタと嵌合している電気コネクタ１００を、上方規制部１２４又は上方規制部１２５に指を引っ掛けて上方に引っ張ることにより、相手側コネクタとの嵌合状態を解除することができる。これにより、電気コネクタ１００と相手側コネクタとの嵌合状態を容易に解除することができる。
【００５１】
＜電気コネクタと電線との接続方法＞
本発明の第２の実施形態に係る電気コネクタ１００と電線Ｓとの接続方法につき、以下に詳細に説明する。なお、電気コネクタ１００と電線Ｓとの接続方法において、電気コネクタ１と電線Ｓとの接続方法と同一の方法については、その説明を省略する。
【００５２】
まず、先端側の絶縁体を切除して導電部を露出させた状態の電線Ｓを、巻付部１２１と規制部２３との間に挿入した後に、巻付部１２１に対して巻付部１２１の内側から電線保持部１０１を経由させて巻付部１２１の外側に巻き付け、巻付部１２１に対して巻付部１２１の外側から内側に巻き付けると共に、巻付部１２１に対して巻付部１２１の内側から電線保持部１０１を経由させて巻付部１２１の外側に巻き付ける。これにより、図８に示すように、巻付部１２１に対して電線Ｓを上方から見て８の字状に巻き付けることができる。また、電線保持部１０１は、巻付部１２１に巻き付けられた電線Ｓの途中を交差した状態で電線Ｓを保持する。
【００５３】
この際に、電線Ｓの下方への移動を下方規制部２６及び下方規制部２５１により規制すると共に、電線Ｓの左右方向における巻付部１２１から離れる方向への移動を左右規制部２２により規制することにより、電線Ｓを巻付部１２１に容易に巻き付けることができる。また、左右規制部２２の上端に設けた傾斜面２２１により、電線Ｓの巻付部１２１と左右規制部２２との間への挿入をガイドすることができ、巻付部１２１と左右規制部２２との間に電線Ｓを容易に挿入することができる。また、上方規制部１２４及び上方規制部１２５を巻付部１２１の左右方向の内方に突出しないようにすることにより、巻付部１２１と左右規制部２２との間に電線Ｓを容易に挿入することができる。更に、上方規制部１２４又は上方規制部１２５と下方規制部２６との上下方向の間隔Ｒ２を、上方規制部１２４又は上方規制部１２５と下方規制部２５１との上下方向の間隔Ｒ１より大きくすることにより、電線Ｓを巻付部１２１に巻き付ける際に、電線Ｓを一旦下方に移動させてから上方規制部１２４又は上方規制部１２５に引っ掛けることができるため、電線Ｓを上方規制部１２４又は上方規制部１２５に容易に引っ掛けることができる。
【００５４】
次に、電線Ｓの巻付部１２１に巻き付けた後方側を上方から押さえ込むように電線Ｓを巻付部１２１に対して巻付部１２１の外側から内側に巻き付けて、電線Ｓの先端側を左右規制部２２と左右規制部２３との間に位置させると共に端子部３１の上方に位置させる。この際に、電線Ｓの上方への移動を上方規制部１２４及び上方規制部１２５により規制することにより、電線Ｓが巻付部１２１から上方に抜けてしまうことを防ぐことができ、電線Ｓを巻付部１２１に巻き付けた状態を維持することができる。
【００５５】
次に、電線Ｓの先端側を端子部３１に接続する。
【００５６】
次に、電線Ｓの先端側の端子部３１から前方に突出した部分を図示しないカッターで端子部３１の前端面に沿って切断して、電線Ｓを図８に示す状態にする。
【００５７】
この状態において電線Ｓを後方に引っ張った際に、電線Ｓが巻付部１２１に圧接されるが、電線Ｓの折り返し部分Ｓ１に当接する巻付部１２１の面を曲面にすることにより、巻付部１２１から電線Ｓに加わる荷重を分散することができるため、巻付部１２１により電線Ｓを傷付けないようにすることができると共に、電線Ｓが切断されることを防ぐことができる。また、電線Ｓは巻付部１２１を締め付けるように巻付部１２１に巻き付くため、電線Ｓの端子部３１との接続部分に直接引張力が加わることを防ぐことができ、電線Ｓと端子部３１との接続不良を防ぐことができる。
【００５８】
ここで、電線Ｓの外径及び巻き数に応じた間隔Ｒ２になるように下方規制部２６を設けることにより、巻付部１２１に対して電線Ｓを所望の回数だけ巻き付けることができる。また、電線Ｓと端子部３１との接続強度が高強度である場合には、電線保持部１０１を経由せずに巻付部１２１の外周に電線Ｓを巻き付けことができる。
【００５９】
このように、本実施形態によれば、上記第１の実施形態の効果に加えて、巻付部１２１に巻き付けられた電線Ｓの途中を交差させた状態で電線Ｓを電線保持部１０１に保持させることにより、電線Ｓを引っ張った際に電線Ｓと端子部３１との接続部に加わる負荷を更に軽減することができる。
【００６０】
なお、本実施形態において、一対の巻付部の一方にのみ電線保持部１０１を設けて電線Ｓを８の字状に巻き付けたが、一対の巻付部の両方に電線保持部１０１を設けて電線Ｓを８の字状に巻き付けてもよい。
【００６１】
また、本実施形態において、巻付部１２１に対して電線Ｓを８の字状に巻き付けたが、巻付部に対して電線Ｓを８の字状以外の形状で巻き付けてもよい。
【００６２】
また、本実施形態において、巻付部１２１に巻き付けた電線Ｓの途中を交差させて電線保持部１０１に保持させたが、電線Ｓと端子部３１との接続強度が高強度である場合には、電線保持部１０１を経由せずに巻付部１２１の外周に電線Ｓを巻き付けことができる。このように、本実施形態では、電線Ｓを電線保持部１０１を経由させずに巻付部１２１に巻き付ける場合と、電線Ｓを電線保持部１０１を経由させて巻付部１２１に巻き付ける場合と、を選択することができる。
【００６３】
なお、本実施形態において、上方規制部１２４を巻付部１２１の上端において前方及び左右方向の外方に突出するようにすると共に、上方規制部１２５を巻付部１２１の上端において後方及び左右方向の外方に突出するようにしたが、上方規制部を巻付部の上端において前方又は後方に突出させると共に、左右方向の外方及び内方に突出しないように設けることができる。この場合には、ハウジング１０２の左右方向の幅を小さくすることができ、電気コネクタを小型化することができる。
【００６４】
（第３の実施形態）
＜電気コネクタの構成＞
本発明の第３の実施形態に係る電気コネクタ３００の構成につき、図１２から図１４を参照しながら、以下に詳細に説明する。なお、図１２において１本の電線Ｓを電気コネクタ３００に接続しているが、２本の電線Ｓを電気コネクタ３００に接続してもよい。
【００６５】
本実施形態に係る電気コネクタ３００は、エナメル線等の電線Ｓに接続し、ハウジング３０２と、コンタクト３０３と、を有している。
【００６６】
ハウジング３０２は、絶縁性を有する材料により形成されており、巻付部３２１と、左右規制部３２２と、左右規制部３２３と、上方規制部３２４と、上面３２５と、を備えている。
【００６７】
巻付部３２１は、電線Ｓが巻き付けられる。巻付部３２１は、上面３２５の後方側に立設されている。巻付部３２１は、端子部３３１から延設される電線Ｓの延設方向（後方）において端子部３３１よりも先端（後方）に設けられている。
【００６８】
左右規制部３２２は、上面３２５に立設されていると共に左右方向において端子部３３１に併設されており、上面３２５の前端から後端まで延設されている。左右規制部３２２は、端子部３３１の左右方向の端部に接している。左右規制部３２２は、電気コネクタ３００に接続される電線Ｓの数と同じ数だけ設けられ、本実施形態では２つ設けられている。
【００６９】
左右規制部３２３は、上面３２５に立設されていると共に左右方向において端子部３３１に併設されており、端子部３３１を挟んで左右規制部３２２に対向している。左右規制部３２３は、上面３２５の前端から後端まで延設されている。左右規制部３２３は、端子部３３１の左右方向の端部に接している。左右規制部３２３は、本実施形態のように電気コネクタ３００に２本の電線Ｓを接続する際には、一対の端子部３３１の間に立設されている。
【００７０】
上方規制部３２４は、巻付部３２１の上端において、巻付部３２１から後方に突出して形成されている。
【００７１】
上面３２５は、ｙ−ｚ平面に沿って平坦な平坦面である。
【００７２】
コンタクト３０３は、導電性を有する材料により形成されていると共にハウジング３０２に一体成型により保持されており、端子部３３１と、接続部３３２と、を備えている。
【００７３】
端子部３３１は、ハウジング３０２の上面３２５に露出して電線Ｓに接続する。端子部３３１は、前後に一対設けられている。後方側の端子部３３１は、巻付部３２１の周囲に設けられている。
【００７４】
接続部３３２は、ハウジング３０２の下面から下方に突出して相手側コネクタの導電部に接続する。
【００７５】
上記の構成を有する電気コネクタ３００において、端子部３３１と巻付部３２１とは前後方向に一列に配列されると共に、端子部３３１と巻付部３２１との配列方向と、電線Ｓの延設方向と、は同一方向になる。
【００７６】
＜電気コネクタと電線との接続方法＞
本発明の第３の実施形態に係る電気コネクタ３００と電線Ｓとの接続方法につき、以下に詳細に説明する。
【００７７】
まず、先端側の絶縁体を切除して導電部を露出させた状態の電線Ｓを、巻付部３２１に対して巻き付ける。
【００７８】
次に、電線Ｓの巻付部３２１に巻き付けた後方側を上方から押さえ込むように電線Ｓを巻付部３２１に対して巻き付けて、電線Ｓの先端側を左右規制部３２２と左右規制部３２３との間に位置させると共に端子部３３１の上方に位置させる。この際に、電線Ｓの上方への移動を上方規制部３２４により規制することにより、電線Ｓが巻付部３２１から上方に抜けてしまうことを防ぐことができ、電線Ｓを巻付部３２１に巻き付けた状態を維持することができる。
【００７９】
次に、電線Ｓの先端側を端子部３３１に接続する。電線Ｓと端子部３３１とは、パルスヒート等による半田付け、レーザ溶接又は抵抗（熱）溶接等により接続される。この際に、直線状に戻ろうとする電線Ｓの左右方向の移動を左右規制部３２２及び左右規制部３２３で規制することにより、端子部３３１に対する接続位置に電線Ｓを安定して保持することができるため、作業効率を向上させることができると共に電線Ｓの端子部３３１に対する接続位置のバラツキを抑制することができる。また、端子部３３１を電線Ｓの延設方向と平行な前後方向に一対設けることにより、電線Ｓと一対の端子部３３１とを接続することができ、電線Ｓと端子部３３１とを確実に接続することができる。
【００８０】
次に、電線Ｓの先端側の前方側の端子部３３１から前方に突出した部分を図示しないカッターで端子部３３１の前端面に沿って切断して、電線Ｓを図１２に示す状態にする。
【００８１】
この状態において電線Ｓを後方に引っ張った際に、電線Ｓは巻付部３２１を締め付けるように巻付部３２１に巻き付くため、電線Ｓの端子部３３１との接続部分に直接引張力が加わることを防ぐことができ、電線Ｓと端子部３３１との接続不良を防ぐことができる。また、電線Ｓの巻付部３２１に巻き付けた部分を端子部３３１に接続することが可能であるため、電線Ｓと端子部３３１とをより強固に接続することができる。なお、巻付部３２１の電線Ｓの折り返し部分と接する面は、曲面であることが好ましい。これにより、巻付部３２１から電線Ｓに加わる荷重を分散することができるため、巻付部３２１に巻き付けた電線Ｓを引っ張った際に巻付部３２１により電線Ｓを傷つける恐れがない。
【００８２】
このように、本実施形態によれば、端子部３３１の左右に併設された左右規制部３２２及び左右規制部３２３と、を備えることにより、電線Ｓを端子部３３１に接続する際に、左右規制部３２２及び左右規制部３２３により電線Ｓの左右方向の移動を規制することにより、電線Ｓを安定して保持することができる。
【００８３】
また、本実施形態によれば、端子部３３１と巻付部３２１とを電線Ｓの延設方向に沿って一列に配列すると共に、端子部３３１と巻付部３２１との配列方向と、電線Ｓの延設方向と、を同一方向にすることにより、電気コネクタ３００の左右方向の幅を小さくすることができる。
【００８４】
また、本実施形態によれば、端子部３３１から延設される電線Ｓの延設方向において端子部３３１よりも先端に巻付部３２１を設けることにより、電線Ｓと端子部３３１との接続不良を確実に防ぐことができる。
【００８５】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００８６】
具体的には、上記第１の実施形態から第３の実施形態において、電気コネクタは２本の電線Ｓと接続するが、１本又は３本以上の任意の数の電線Ｓと電線Ｓの数と同数設けたコンタクトとを接続させることができると共に、左右規制部及び巻付部等を電線Ｓの数と同数設けることができる。
【００８７】
また、上記第１の実施形態から第３の実施形態において、コンタクトをハウジングに一体成型により設けたが、コンタクトをハウジングに圧入等して設けてもよい。
【００８８】
また、上記第１の実施形態から第３の実施形態において、ハウジングの上面の前端にコンタクトの端子部を露出させたが、ハウジングの上面の前端と後端との間にコンタクトの端子部を露出させてもよい。
【００８９】
また、上記第１の実施形態から第３の実施形態において、電気コネクタのコンタクトに接続される電線はエナメル線に限らず、任意の電線を電気コネクタのコンタクトに接続することができる。
【産業上の利用可能性】
【００９０】
本発明の電気コネクタは、エナメル線等の電線に接続するのに好適である。
【符号の説明】
【００９１】
１  電気コネクタ
２  ハウジング
３  コンタクト
２１  巻付部
２２  左右規制部
２３  左右規制部
２４  上方規制部
２５  上面
２６  下方規制部
２７  下面
２８  凹部
３１  端子部
３２  接続部
１００  電気コネクタ
１０１  電線保持部
１０２  ハウジング
１２１  巻付部
１２４  上方規制部
１２５  上方規制部
２２１  傾斜面
２５１  下方規制部
３００  電気コネクタ
３０２  ハウジング
３０３  コンタクト
３２１  巻付部
３２２  左右規制部
３２３  左右規制部
３２４  上方規制部
３２５  上面
３３１  端子部
３３２  接続部
Ｓ  電線
Ｓ１  折り返し部分
【図１】
2019071189.tif 000003
【図２】
2019071189.tif 000004
【図３】
2019071189.tif 000005
【図４】
2019071189.tif 000006
【図５】
2019071189.tif 000007
【図６】
2019071189.tif 000008
【図７】
2019071189.tif 000009
【図８】
2019071189.tif 000010
【図９】
2019071189.tif 000011
【図１０】
2019071189.tif 000012
【図１１】
2019071189.tif 000013
【図１２】
2019071189.tif 000014
【図１３】
2019071189.tif 000015
【図１４】
2019071189.tif 000016